(57)【特許請求の範囲】
【請求項１】
写真フィルム上の画像記録範囲よりも広い所定範囲に光を照射する照射手段と、
写真フィルム上の前記所定範囲からの光が入射され、前記所定範囲を多数個に分割して測光する単一の測光手段と、
写真フィルムのフィルムベースの分光特性に近似した分光特性を有し、写真フィルム上の前記所定範囲内でかつ前記画像記録範囲外の領域から前記測光手段に入射される光を減光する光学フィルタと、
測光手段による測光条件を、画像記録範囲内から前記測光手段に入射される光の光量に応じた測光条件に調整する測光条件調整手段と、
前記測光手段による前記所定範囲内でかつ画像記録範囲外の領域の測光結果に基づいて、写真フィルム上の画像記録範囲外に存在する所定の情報を検知する検知手段と、
を含むフィルム測光装置。
【請求項２】
写真フィルム上の画像記録範囲よりも広い所定範囲に光を照射する照射手段と、
写真フィルム上の前記所定範囲からの光が入射され、前記所定範囲を多数個に分割して測光する単一の測光手段と、
青色光の透過率Ｔｂ≦緑色光の透過率Ｔｇ≦赤色光の透過率Ｔｒとされ、写真フィルム上の前記所定範囲内でかつ前記画像記録範囲外の領域から前記測光手段に入射される光を減光する光学フィルタと、
測光手段による測光条件を、画像記録範囲内から前記測光手段に入射される光の光量に応じた測光条件に調整する測光条件調整手段と、
前記測光手段による前記所定範囲内でかつ画像記録範囲外の領域の測光結果に基づいて、写真フィルム上の画像記録範囲外に存在する所定の情報を検知する検知手段と、
を含むフィルム測光装置。
【請求項３】
前記測光条件調整手段は、写真フィルムのフィルムベースの濃度に略一致する濃度の素抜け部が前記画像記録範囲内に存在していた場合に該素抜け部からの光に応じて前記測光手段から出力される信号のレベルが飽和することなく略最大となるように測光条件を調整することを特徴とする請求項１又は請求項２記載のフィルム測光装置。
【請求項４】
前記測光条件調整手段は、写真フィルム上の画像記録範囲内の最低濃度部を検出し、該最低濃度部からの光に応じて測光手段から出力される信号のレベルが飽和することなく略最大となるように測光条件を調整することを特徴とする請求項１又は請求項２記載のフィルム測光装置。
【発明の詳細な説明】
【０００１】
【発明の属する技術分野】
本発明はフィルム測光装置に係り、特に、写真フィルム上の画像記録範囲よりも広い所定範囲を測光するフィルム測光装置に関する。
【０００２】
【従来の技術及び発明が解決しようとする課題】
ネガフィルム等の写真フィルムに記録されている画像を印画紙等の感光材料に露光する写真プリンタでは、画像の露光条件の決定等を行うために、写真フィルムのフィルム種、画像のフレームサイズ（例えばシネラマサイズ／パノラマサイズ／ハイビジョンサイズ等）、露光する画像の画像特徴量（例えば濃度や色味）等の情報を検知する必要がある。また、画像の露光に際しては画像を露光位置に位置決めする必要があるが、この位置決めを行うためには写真フィルムの搬送状態等を検知する必要があると共に、写真フィルム上の画像記録位置も検知する必要がある。
【０００３】
また、写真フィルムに記録されている画像をスキャナによって読み取り、該読み取りによって得られた画像データを用いて記録材料への画像の記録、ディスプレイへの画像の表示等を行う画像処理装置においても、上記と同様に写真フィルムに関する各種の情報を検知する必要がある。このため従来は、検知すべき各種情報に対応して光センサを各々設け、各光センサにより出力されたデータに基づいて前記各種情報を各々検知する構成が一般的であった。
【０００４】
しかし、上記構成では多数の光センサを必要とするため、装置のコストが嵩むという問題がある。このため、多数の受光素子を備えた単一の光センサ（例えばラインセンサやエリアセンサ）により、写真フィルムの画像記録範囲外を含む略全面を多数画素に分割して測光し、該光センサから出力された信号に基づき上述した各種情報の検知を各々行う構成が考えられる。
【０００５】
しかしながら、写真フィルムには幅方向両側にパーフォレーションが穿設されている（更にノッチ等の切欠きが穿設されている場合もある）ので、上記構成では、写真フィルムの各箇所から光センサに入射される光のうち、パーフォレーションやノッチが穿設されている箇所を通過した光が最大光量となる。このため、パーフォレーション等が穿設されている箇所を通過した光が入射されても光センサの出力及び後段の信号処理回路の出力が飽和しないように光センサの測光条件等を調整する必要があるが、写真フィルムの画像記録領域を透過した光の光量は、前記最大光量と比較して少なくとも写真フィルムのベース濃度分以上低いので、上記のように測光条件を調整することで画像に対する測光のダイナミックレンジが狭くなる（測光信号の最大レベルと最小レベルの比が小さくなる）、という問題があった。
【０００６】
また、写真フィルムに記録されている画像を高精度に読み取ることを目的として前述の画像処理装置等に設けられているスキャナでは、写真フィルムがネガフィルムかポジフィルムかに応じて測光条件（例えば画像測光用センサの電荷蓄積時間や、センサの光入射側に設けられた絞りによる絞り量等）を変化させ、各写真フィルム毎に、フィルム画像に対する測光のダイナミックレンジが最大になるように調整する構成も知られているが、この種のスキャナにおいても、画像以外の他の情報を検出するためには、該他の情報を検出するための専用の光センサを測光用センサと別に設ける必要がある。
【０００７】
なお、特開昭  ６３−１８９８５０号公報には、写真フィルムの画像を読み取る場合と、画像のエッジを検出する場合とで測光センサのダイナミックレンジを切り替える技術が開示されているが、この技術においても、画像を測光するための測光センサによって写真フィルム上のパーフォレーション等の孔やノッチ等が穿設されている領域からも情報を検出する場合については何ら考慮されていない。
【０００８】
本発明は上記事実を考慮して成されたもので、簡単な構成により、写真フィルムに記録された画像を高精度に測光できると共に、写真フィルムの画像記録範囲外からも写真フィルムに関する情報を正確に検知できるフィルム測光装置を得ることが目的である。
【０００９】
【課題を解決するための手段】
上記目的を達成するために請求項１記載の発明に係るフィルム測光装置は、写真フィルム上の画像記録範囲よりも広い所定範囲に光を照射する照射手段と、写真フィルム上の前記所定範囲からの光が入射され、前記所定範囲を多数個に分割して測光する単一の測光手段と、写真フィルムのフィルムベースの分光特性に近似した分光特性を有し、写真フィルム上の前記所定範囲内でかつ前記画像記録範囲外の領域から前記測光手段に入射される光を減光する光学フィルタと、測光手段による測光条件を、画像記録範囲内から前記測光手段に入射される光の光量に応じた測光条件に調整する測光条件調整手段と、前記測光手段による前記所定範囲内でかつ画像記録範囲外の領域の測光結果に基づいて、写真フィルム上の画像記録範囲外に存在する所定の情報を検知する検知手段と、を含んで構成されている。
【００１０】
請求項１記載の発明では、写真フィルム上の画像記録範囲よりも広い所定範囲からの光が入射され、所定範囲を多数個に分割して測光する単一の測光手段が設けられており、測光手段による測光条件は、測光条件調整手段により、画像記録範囲内から測光手段に入射される光の光量に応じた測光条件に調整される。これにより、写真フィルムに記録されている画像を高精度（広ダイナミックレンジ）で測光することができ、写真フィルムに記録されている画像の階調をより多い階調数で正確に表す測光データ（画像データ）を得ることができる。
【００１１】
なお、測光条件調整手段による測光条件の調整は、具体的には、例えば請求項２に記載したように、写真フィルムのフィルムベースの濃度に略一致する濃度の素抜け部が画像記録範囲内に存在していた場合に該素抜け部からの光に応じて測光手段から出力される信号のレベルが飽和することなく略最大となるように測光条件を調整することができる。上記において、素抜け部の濃度（フィルムベースの濃度）についてはフィルム種毎に略一定であるので、フィルム種を検出することで検知することができる（測光によって実際のフィルムベースの濃度を求めてもよい）。
【００１２】
また、測光条件調整手段による測光条件の調整は、請求項３に記載したように、写真フィルム上の画像記録範囲内の最低濃度部を検出し、該最低濃度部からの光に応じて測光手段から出力される信号のレベルが飽和することなく略最大となるように測光条件を調整することによっても実現できる。上記において、画像記録範囲内の最低濃度部については、画像を予め測光する（所謂プレ測光）することで検出することができる。
【００１３】
一方、上記のように測光条件を調整した場合、写真フィルム上の画像記録範囲外のパーフォレーション等の孔やノッチ等の切欠きが穿設されている箇所から測光手段に入射される光の光量が過大となり、前記孔や切欠きが穿設されている箇所から入射された光に対応して測光手段から出力される信号が飽和することになる。画像記録範囲外の領域の測光結果は、検知手段による写真フィルム上の画像記録範囲外に存在する所定の情報（例えばＤＸコード、パーフォレーションの位置、写真フィルムのエッジの位置等）の検知に用いられるが、上記のように測光手段から出力される信号が飽和していると、前記所定の情報の検知の正確さが低下する。
また、入射光を各成分色に分解して測光する構成の測光手段を用いて写真フィルムに記録された画像を測光する場合、写真フィルムの画像記録範囲内の素抜け部の色味が測光上の白として検出されるように（写真フィルムがネガフィルムの場合、素抜け部の実際の色味は略オレンジ色である）、測光手段の感度を各成分色毎に調整することが一般的である。上記のように各成分色毎に感度が調整された測光手段を用いた場合、写真フィルム上の画像記録範囲外の孔や切欠きが穿設されている部分から入射された光（一般的には白色光）に対し、測光手段から出力される各成分色毎の信号の飽和を各々防止するために必要な減光量の最小値は各成分色毎に各々異なることになる。
このため、本発明に係る測光手段として上記のように感度が各成分色毎に調整された測光手段を用い、ＮＤフィルタ等のように各成分色毎の減光量が略一定の分光特性の光学フィルタを用いて、写真フィルム上の所定範囲内でかつ画像記録範囲外の領域から測光手段に入射される光を減光したとすると、測光手段から出力される全ての成分色に対して信号の飽和を防止するために該光学フィルタによる減光量を大きくする必要があり、写真フィルム上の画像記録範囲外からの光に対応して測光手段から出力される特定の成分色の信号のダイナミックレンジが小さくなるという問題がある。
【００１４】
これに対し請求項１の発明では、写真フィルムのフィルムベースの分光特性に近似した分光特性を有し、写真フィルム上の所定範囲内でかつ画像記録範囲外の領域から測光手段に入射される光を減光する光学フィルタが設けられているので、本発明に係る測光手段として、入射光を各成分色に分解して測光する構成で、かつ写真フィルムの画像記録範囲内の素抜け部の色味が測光上の白として検出されるように各成分色毎の感度が調整された測光手段を用いた場合にも、写真フィルム上の画像記録範囲外の孔や切欠きが穿設されている部分から前記光学フィルタを介して入射された光に対し、測光手段から出力される各成分色毎の信号のレベルは略一定となる。従って、写真フィルムの画像記録範囲内の素抜け部の色味が測光上の白として検出されるように、写真フィルムからの入射光を各色成分に分解して測光する場合にも、写真フィルム上の画像記録範囲外からの各成分色光に対応して測光手段から出力される各成分色の信号のダイナミックレンジを各々広くすることができ、検知手段により、写真フィルム上の画像記録範囲外に存在する情報を正確かつ高精度に検知することができる。
【００１５】
また本発明では、単一の測光手段を備えた簡単な構成により、写真フィルムに記録された画像を高精度に測光できると共に、写真フィルム上の画像記録範囲外に存在する情報を正確に検知することができるので、本発明に係るフィルム測光装置を低コストに構成することができる。
【００２０】
請求項２記載の発明に係るフィルム測光装置は、写真フィルム上の画像記録範囲よりも広い所定範囲に光を照射する照射手段と、写真フィルム上の前記所定範囲からの光が入射され、前記所定範囲を多数個に分割して測光する単一の測光手段と、青色光の透過率Ｔｂ≦緑色光の透過率Ｔｇ≦赤色光の透過率Ｔｒとされ、写真フィルム上の前記所定範囲内でかつ前記画像記録範囲外の領域から前記測光手段に入射される光を減光する光学フィルタと、測光手段による測光条件を、画像記録範囲内から前記測光手段に入射される光の光量に応じた測光条件に調整する測光条件調整手段と、前記測光手段による前記所定範囲内でかつ画像記録範囲外の領域の測光結果に基づいて、写真フィルム上の画像記録範囲外に存在する所定の情報を検知する検知手段と、を含んで構成されている。
【００２１】
請求項２の発明では、写真フィルム上の画像記録範囲外の孔や切欠きが穿設されている部分から前記光学フィルタを介して入射された光に対し、測光手段から出力される各成分色毎の信号のレベルが必ずしも一定となるとは限らないが、写真フィルムの一種であるネガフィルムのフィルムベースの分光特性は、一般に青色光の透過率Ｔｂ≦緑色光の透過率Ｔｇ≦赤色光の透過率Ｔｒであるので、写真フィルムとしてネガフィルムを適用し、かつ本発明に係る測光手段として、入射光を各成分色に分解して測光する構成で、かつ写真フィルムの画像記録範囲内の素抜け部の色味が測光上の白として検出されるように各成分色毎の感度が調整された測光手段を用いる場合には、写真フィルム上の画像記録範囲外の孔や切欠きが穿設されている部分から前記光学フィルタを介して入射された光に対し、測光手段から出力される各成分色毎の信号のレベルを近づけることができ、各成分色毎の信号のダイナミックレンジを広くすることが可能となる。従って、請求項１記載の発明と同様に、写真フィルムの画像記録範囲内の素抜け部の色味が測光上の白として検出されるように、写真フィルムからの入射光を各色成分に分解して測光する場合にも、写真フィルム上の画像記録範囲外からの各成分色光に対応して測光手段から出力される各成分色の信号のダイナミックレンジを各々広くすることができ、検知手段により、写真フィルム上の画像記録範囲外に存在する情報を正確かつ高精度に検知することができる。
【００２２】
また、上記のように、光学フィルタの分光透過率特性をネガフィルムのフィルムベースの一般的な分光透過率特性に近づけることにより、写真フィルムとしてフィルム種の互いに異なる複数種のネガフィルムに対し、測光手段から出力される各成分色毎の信号のダイナミックレンジを、フィルム種に拘らず平均的に広くすることも可能となる。
【００２３】
【発明の実施の形態】
以下、図面を参照して本発明の実施形態の一例を詳細に説明する。なお、以下では本発明に支障のない数値を用いて説明するが、本発明は以下に記載した数値に限定されるものではないことは言うまでもない。
【００２４】
〔第１実施形態〕
図１には、本発明に係るフィルム測光装置を含んで構成された写真プリンタの光学系が示されている。写真プリンタの光学系は、写真フィルムとしてのネガフィルム１０の搬送路に沿って測光部１２、露光部１４が順に設けられて構成されている。ネガフィルム１０の搬送路の途中には、複数の搬送ローラ対１６Ａ、１６Ｂ、１６Ｃが配設されており、ネガフィルム１０はこれらの搬送ローラ対１６Ａ、１６Ｂ、１６Ｃに挟持され、図１矢印Ａ方向に沿って搬送される。
【００２５】
測光部１２は、ネガフィルム１０の搬送路の下方側に配置された光源１８及び拡散ボックス２０を備えており、光源１８から射出された光は拡散ボックス２０内で拡散・混合されてネガフィルム１０に照射される。ネガフィルム１０を挟んで光源１８と反対側には、円柱状の屈折率分布型レンズ２２（所謂セルフォックレンズ：商品名）、ＣＣＤラインセンサ２４が順に配置されている。ネガフィルム１０を透過した光は、屈折率分布型レンズ２２によってＣＣＤラインセンサ２４の受光面上に投影・結像される。
【００２６】
ＣＣＤラインセンサ２４は、Ｒの光を透過するフィルタが入射側に配置されたＲのＣＣＤセル列と、Ｇの光を透過するフィルタが入射側に配置されたＧのＣＣＤセル列と、Ｂの光を透過するフィルタが入射側に配置されたＢのＣＣＤセル列と、が所定間隔（数画素分の間隔）を隔てて互いに平行に設けられており、各成分色のＣＣＤセル列の配列方向がネガフィルム１０の幅方向に沿うように配置されている。また、屈折率分布型レンズ２２もネガフィルム１０の幅方向に沿って多数配列されている。
【００２７】
図２にも示すように、ＣＣＤラインセンサ２４の各ＣＣＤセル列による、ネガフィルム１０上におけるネガフィルム１０の幅方向に沿った受光範囲の長さは、ネガフィルム１０の幅寸法よりも若干長く（例えばネガフィルム１０の幅方向両側で各々数ｍｍ程度）されており、各ＣＣＤセル列には、光拡散ボックス２０から射出されてネガフィルム１０の幅方向外側を通過した光も入射される。
【００２８】
従って、ＣＣＤラインセンサ２４の１回の測光によって、ネガフィルム１０の長手方向に沿って互いに所定間隔隔てて位置している、各々ネガフィルム１０を幅方向に沿って横切る３本の仮想的なライン上を通過した光が、各色のＣＣＤセル列によって各々Ｒ及びＧ及びＢの各成分色の何れかに分解されて測光される。そして搬送ローラ１６によってネガフィルム１０が搬送されることによって副走査が成され、上記測光が繰り返されることによりネガフィルム１０の全面が多数画素に分割されかつＲ、Ｇ、Ｂの３色に分解されて測光されることになる。
【００２９】
なお、本実施形態ではＣＣＤラインセンサ２４として、ネガフィルム上における画素サイズが８μｍ×８μｍで、有効画素数が５３６３画素／色（ＣＣＤセル列の端部に位置している所定数のＣＣＤセルは光入射側が遮光されて光学的黒のダミー画素とされており、該ダミー画素を含む全画素数は５４３８画素／色である）、ＣＣＤセル列間の距離が８ライン分のタイプのＣＣＤラインセンサを用いている。
【００３０】
また、ＣＣＤラインセンサ２４の受光面には、ネガフィルム１０の画像領域外を透過した光が入射される部分に相当する両端部に、減光フィルタ２６が各々設けられている（図２では網かけで示す）。減光フィルタ２６は、ネガフィルム１０のフィルムベースの分光透過率特性に近似した分光透過率特性（青色光の透過率Ｔｂ≦緑色光の透過率Ｔｇ≦赤色光の透過率Ｔｒ）を有している。従って、ネガフィルム１０の画像領域外を透過した光及びネガフィルム１０の幅方向外側を通過した光は、減光フィルタ２６によって減光された後にＣＣＤラインセンサ２４に入射される。
【００３１】
後述するように、ＣＣＤラインセンサ２４の電荷蓄積時間は、ネガフィルム１０に対する測光を開始する際には初期値が設定され、ネガフィルム１０のフィルム種が検知された後は、フィルム種毎に異なるネガフィルム１０のフィルムベース濃度に応じた長さに再設定される。減光フィルタ２６は、各フィルム種に対応する電荷蓄積時間のうち最も長い時間が設定された場合に、ネガフィルム１０のパーフォレーションやノッチが穿設されている箇所を通過した光や、ネガフィルム１０の幅方向外側を通過した光が入射されるＣＣＤセルに蓄積される電荷量が、ＣＣＤセルに蓄積可能な電荷量の最大値に略一致しかつ蓄積電荷の飽和が生じないように減光量が定められている。
【００３２】
一方、測光部１２よりもネガフィルム１０の搬送方向下流側には露光部１４が位置しており、測光部１２と露光部１４との間には搬送ローラ対１６Ｂ、１６Ｃによってネガフィルム１０のループが形成される。測光部１２を通過したネガフィルム１０は、前記ループを通過した後に露光部１４に送り込まれる。
【００３３】
露光部１４はネガフィルム１０の搬送路上に配置されたネガマスク３０を備えており、ネガマスク３０の下方側には光源３２が配置されている。光源３２の光射出側には、露光光路に対し互いに独立に進退移動可能なＣ（シアン）、Ｍ（マゼンダ）、Ｙ（イエロー）の３枚のフィルタから成る色補正フィルタ３４、色補正フィルタ３４を透過した光を拡散・混合する拡散ボックス３６が順に配置されており、光源３２から射出された光は色補正フィルタ３４、拡散ボックス３６を介してネガフィルム１０に照射される。
【００３４】
また、ネガマスク３０の上方側には、露光光路に沿って露光レンズ３８、ブラックシャッタ４０が順に配置されており、ブラックシャッタ４０の上方には印画紙４２の搬送路が形成されている。ネガフィルム１０を透過した光は、露光レンズ３８、ブラックシャッタ４０を介して印画紙４２に照射される。
【００３５】
次に図３を参照し、本第１実施形態に係る写真プリンタの制御装置５０Ａの構成について説明する。制御装置５０ＡはＣＣＤドライバ５２及びスキャン制御回路５４を備えている。ＣＣＤラインセンサ２４の制御信号入力端はＣＣＤドライバ５２に接続されており、ＣＣＤドライバ５２はスキャン制御回路５４に接続されている。ＣＣＤドライバ５２には、測光開始タイミングを表す測光開始信号がスキャン制御回路５４から入力され、該信号に基づいてＣＣＤラインセンサ２４を駆動するためのタイミング信号を生成する。
【００３６】
このタイミング信号はＣＣＤラインセンサ２４に入力され、ＣＣＤラインセンサ２４では入力されたタイミング信号に同期したタイミングで測光（光電変換及び電荷の蓄積）、信号出力（蓄積電荷の転送）を行う。これにより、ＣＣＤラインセンサ２４からは、前述の３本のラインの各々をＲ、Ｇ、Ｂの各成分色の何れかに各々分解して測光した結果を表す信号（アナログの測光信号）が、各ラインの一端側の画素から順に（図２のアドレス「１」の画素からアドレス「Ｘ」の画素に向かって順に）出力されることになる。
【００３７】
なお、ＣＣＤドライバ５２には、ＣＣＤラインセンサ２４における電荷蓄積時間を指示するための蓄積時間指示信号がスキャン制御回路５４から入力され、ＣＣＤラインセンサ２４には、図示しない電子シャッタが各ＣＣＤセル列の光入射側に各々設けられている。ＣＣＤドライバ５２は、入力された蓄積時間指示信号に従い、ＣＣＤラインセンサ２４の電荷蓄積時間が前記指示信号によって指示された蓄積時間に一致するように電子シャッタの作動を制御する。
【００３８】
ＣＣＤラインセンサ２４の信号出力端は増幅器５６を介してアナログ−デジタル変換器（Ａ／Ｄ変換器）５８に接続されている。増幅器５６は、ＣＣＤラインセンサ２４から出力されるＲ、Ｇ、Ｂの３色の測光信号に対応して３個の増幅回路を備えており、各増幅回路では、ＣＣＤラインセンサ２４から入力された各成分色毎のアナログの測光信号の各々の信号レベルが、Ａ／Ｄ変換器５８に入力するための最適なレベルとなるように、各成分色毎の測光信号の信号レベルの変換を行う。また増幅器５６は、光学的黒レベル補正回路や相関二重サンプリング回路等の各種補正回路を含んで構成されており、これらの補正回路によって各種補正も行われる。
【００３９】
Ａ／Ｄ変換器５８は、制御信号入力端がＣＣＤドライバ５２に接続されていると共に、データ出力端が測光データ用データバス６０に接続されている。ＣＣＤドライバ５２は、スキャン制御回路５４から入力された測光開始信号に基づいてＡ／Ｄ変換用のタイミング信号を生成し、Ａ／Ｄ変換器５８に出力する。Ａ／Ｄ変換器５８は、増幅器５６で信号レベルの変換等が行われたＲ、Ｇ、Ｂのアナログの測光信号を、入力されたタイミング信号に同期したタイミングで所定ビット数（例えば１２ビット）のデジタルデータ（測光データ）に変換し、測光データをデータバス６０へ出力する。
【００４０】
なお、Ａ／Ｄ変換器５８から出力される測光データのビット数が１２ビットの場合、データバス６０は、１２ビット×３色＝３６ビットのデータを同時に出力可能に構成すればよい。上記のＣＣＤラインセンサ２４、増幅器５６、Ａ／Ｄ変換器５８は本発明の測光手段に対応している。
【００４１】
スキャン制御回路５４にはパルスモータドライバ６２が接続されており、パルスモータドライバ６２には、駆動軸が駆動力伝達機構を介して搬送ローラ対１６に連結されたパルスモータ６４が接続されている。パルスモータドライバ６２は、スキャン制御回路５４から入力された制御信号に従ってパルスモータ６４を駆動し、ネガフィルム１０を搬送する。
【００４２】
スキャン制御回路５４は、データバス、アドレスバス及び制御バスを含んで構成されたスキャン制御用バス６６、データバス、アドレスバス及び制御バスを含んで構成されたＣＰＵバス６８を介してＣＰＵ１００（詳細は後述）に接続されている。スキャン制御回路５４には、ネガフィルム１０をスキャニング測光するための各種パラメータや制御コマンドがＣＰＵ１００からバス６６、６８を介して入力され、入力されたパラメータや制御コマンドに応じて、ＣＣＤドライバ５２に測光開始信号及び蓄積時間指示信号を出力すると共に、測光タイミングに同期したタイミングでネガフィルム１０が搬送されるように、パルスモータドライバ６２を介してパルスモータ６４の作動を制御する。
【００４３】
また、スキャン制御回路５４の出力端は測光データ用アドレス／制御バス７０に接続されている。スキャン制御回路５４は、Ａ／Ｄ変換器５８から測光データが出力されるタイミングと同期したタイミングで、Ａ／Ｄ変換器５８から出力された測光データに対応する画素のアドレス（ラインアドレス）をアドレス／制御バス７０に出力すると共に、Ａ／Ｄ変換器５８からデータバス６０に出力される測光データの有効タイミング（サンプリングタイミング）を表す信号をアドレス／制御バス７０に出力する。またスキャン制御回路５４は、必要に応じてＣＰＵ１００への応答を行う。
【００４４】
データバス６０及びアドレス／制御バス７０には、フィルムエッジ検出用サンプリング回路７２が接続されている。フィルムエッジ検出用サンプリング回路７２にはＦＩＦＯメモリで構成されたフィルムエッジ検出用データメモリ７４が接続されており、フィルムエッジ検出用データメモリ７４はＣＰＵバス６８に接続されている。
【００４５】
フィルムエッジ検出用サンプリング回路７２はＡ／Ｄ変換器５８からデータバス６０に順次出力される測光データから、図２に示すＤ領域（フィルムエッジが存在する領域）を測光した結果に相当する測光データでかつ特定成分色（例えばＢ）の測光データのみを順にサンプリングする。そして、ネガフィルム１０の幅方向に沿って、１回前にサンプリングした測光データと今回サンプリングした測光データとの差を演算することを繰り返し、測光データの差（測光値差）がフィルムエッジ検出用に定められたしきい値以上であったときにアドレス／制御バス７０を介して入力されたラインアドレスを、フィルムエッジ検出用データとしてフィルムエッジ検出用データメモリ７４に記憶させる。
【００４６】
また、データバス６０及びアドレス／制御バス７０には、フィルム搬送検出用サンプリング回路７６が接続されている。フィルム搬送検出用サンプリング回路７６にはＦＩＦＯメモリで構成されたフィルム搬送検出用データメモリ７８が接続されており、フィルム搬送検出用データメモリ７８はＣＰＵバス６８に接続されている。
【００４７】
フィルム搬送検出用サンプリング回路７６はＡ／Ｄ変換器５８からデータバス６０に順次出力される測光データから、図２に示すＢ領域（パーフォレーション領域）を測光した結果に相当する測光データでかつ特定成分色（例えばＢ）の測光データのみを順にサンプリングする。そして、サンプリングした測光データが表す測光値をパーフォレーションの有無の検出用に予め定められたしきい値と比較し、比較結果を表す二値データ（パーフォレーションの有無を表すデータ）をフィルム搬送検出用データとしてフィルム搬送検出用データメモリ７８に記憶させる。
【００４８】
また、データバス６０及びアドレス／制御バス７０には、ＤＸコード検出用サンプリング回路８０が接続されている。ＤＸコード検出用サンプリング回路８０にはＦＩＦＯメモリで構成されたＤＸコードデータ用メモリ８２が接続されており、ＤＸコードデータ用メモリ８２はＣＰＵバス６８に接続されている。
【００４９】
Ａ／Ｄ変換器５８からデータバス６０に順次出力されるＲ、Ｇ、Ｂの測光データは、対応する画素が、同一ラインドレスでかつ副走査方向に沿って位置が数画素分ずれている。ＤＸコード検出用サンプリング回路８０は、同一画素のＲ、Ｇ、Ｂの測光データが同時に入力されるようにＲ、Ｇ、Ｂのうちの２色（例えばＧとＢ）の測光データの入力を遅延させ、順次入力される同一画素のＲ、Ｇ、Ｂの測光データのうち、図２に示すＡ領域（ＤＸコード領域）に対応する画素のＲ、Ｇ、Ｂの測光データのみを順にサンプリングする。そして、サンプリングしたＲ、Ｇ、Ｂの測光データを加算して得られる濃度データを、ＤＸコードデータとしてＤＸコードデータ用メモリ８２に記憶させる。
【００５０】
またデータバス６０及びアドレス／制御バス７０には、コマ位置検出用サンプリング回路８４が接続されている。コマ位置検出用サンプリング回路８４にはＦＩＦＯメモリで構成されたコマ位置検出用データメモリ８６が接続されており、コマ位置検出用データメモリ８６はＣＰＵバス６８に接続されている。
【００５１】
コマ位置検出用サンプリング回路８４は、ＤＸコード検出用サンプリング回路８０と同様に、同一画素のＲ、Ｇ、Ｂの測光データが同時に入力されるようにＲ、Ｇ、Ｂのうちの２色（例えばＧとＢ）の測光データの入力を遅延させ、順次入力される同一画素のＲ、Ｇ、Ｂの測光データのうち、図２に示すＣ領域（画像領域）に対応する画素のＲ、Ｇ、Ｂの測光データのみを順にサンプリングする。
【００５２】
そして、サンプリングしたＲ、Ｇ、Ｂの測光データを加算して濃度データを求め、１ラインのうちＣ領域内に位置している部分を複数（例えば１６個）の線状領域（コマ位置検出用領域）に分割したときの各領域の画素数に相当する所定数の画素毎に濃度データを積算（統合）し、濃度データの積算結果（複数のコマ位置検出用領域の各々の平均濃度に相当）を、コマ位置検出用データとしてコマ位置検出用データメモリ８６に記憶させる。
【００５３】
またデータバス６０及びアドレス／制御バス７０には、フレームサイズ検出用サンプリング回路８８が接続されている。フレームサイズ検出用サンプリング回路８８にはＦＩＦＯメモリで構成されたフレームサイズ検出用データメモリ９０が接続されており、フレームサイズ検出用データメモリ９０はＣＰＵバス６８に接続されている。
【００５４】
フレームサイズ検出用サンプリング回路８８は、同一画素のＲ、Ｇ、Ｂの測光データが同時に入力されるようにＲ、Ｇ、Ｂのうちの２色（例えばＧとＢ）の測光データの入力を遅延させ、所定数のライン（例えば数百ライン）の画素の測光データが入力され次に１ラインの画素の測光データが入力されるときにのみ、図２に示すＣ領域（画像領域）に対応する画素のＲ、Ｇ、Ｂの測光データを順にサンプリングする。
【００５５】
そして、サンプリングしたＲ、Ｇ、Ｂの測光データを加算して濃度データを求め、１ラインのうちＣ領域内に位置している部分を複数（例えば６４個）の線状領域（フレームサイズ検出用領域）に分割したときの各領域の画素数に相当する所定数の画素毎に濃度データを積算（統合）し、濃度データの積算結果（複数のフレームサイズ検出用領域の各々の平均濃度に相当）を、フレームサイズ検出用データとしてフレームサイズ検出用データメモリ９０に記憶させる。
【００５６】
またデータバス６０及びアドレス／制御バス７０には、露光制御用画像データサンプリング回路９２が接続されている。露光制御用画像データサンプリング回路９２にはＦＩＦＯメモリで構成された露光制御用画像データメモリ９４が接続されており、露光制御用画像データメモリ９４はＣＰＵバス６８に接続されている。
【００５７】
露光制御用画像データサンプリング回路９２はＡ／Ｄ変換器５８からデータバス６０に順次出力される測光データから、図２に示すＣ領域（画像領域）に対応する画素のＲ、Ｇ、Ｂの測光データのみを順にサンプリングする。そして、ライン方向（主走査方向）及びフィルム搬送方向（副走査方向）に沿って各々所定数の画素から成る領域（例えば１２画素×１２画素から成る領域）の測光データを各成分色毎に統合し、露光制御用画像データとして露光制御用画像データメモリ９４に記憶させる。
【００５８】
ＣＰＵバス６８には、ＣＰＵ１００、メインメモリ１０２及びインタフェース（Ｉ／Ｆ）回路１０４が各々接続されている。ＣＰＵ１００は、ＣＣＤラインセンサ２４、増幅器５６、Ａ／Ｄ変換器５８、ＣＣＤドライバ５２、パルスモータドライバ６２、パルスモータ６４及びスキャン制御回路５４から成るスキャナ部の制御を行うと共に、写真プリンタの全体の制御も行う。メインメモリ１０２には、ＣＰＵ１００が各種の制御を行うためのプログラムやデータが記憶されており、ネガフィルム１０のフィルムベース濃度もフィルム種毎に記憶されている。Ｉ／Ｆ回路１０４は、写真プリンタの他のセンサやドライバ、各種の外部機器とのインタフェースを司る。
【００５９】
なお、ＣＰＵ１００はスキャナ部の制御のみを行う構成であってもよい。この場合、ＣＰＵ１００と別に写真プリンタの全体の制御を行うメイン制御ＣＰＵを設けると共に、ＣＰＵ１００がＩ／Ｆ回路１０４を介してメイン制御ＣＰＵと通信するようにすればよい。また制御装置５０Ａには、大量の画像データ等を記憶可能な大容量の画像メモリ１０６を増設することも可能とされている。増設した画像メモリ１０６はＣＰＵバス６８に接続される。
【００６０】
次に本第１実施形態の作用を説明する。写真プリンタにネガフィルム１０がセットされると、ＣＰＵ１００は、測光部１２の光源１８を点灯させると共に、各種のタイミング等を規定するパラメータをバス６６、６８を介してスキャン制御回路５４にセットし、次にコマンドを出力してスキャン制御回路５４を動作させる。
【００６１】
これにより、スキャン制御回路５４ではＣＣＤドライバ５２に測光開始信号を出力し、ＣＣＤドライバ５２ではＣＣＤ駆動用のタイミング信号及びＡ／Ｄ変換用のタイミング信号を生成し、Ａ／Ｄ変換用のタイミング信号をＡ／Ｄ変換器５８に出力すると共に、ＣＣＤ駆動用のタイミング信号をＣＣＤラインセンサ２４及びスキャン制御部５４に出力する。スキャン制御部５４では、ＣＣＤドライバ５２から入力されたタイミング信号に同期したタイミングでネガフィルム１０が搬送されるように、パルスモータドライバ６２を介してパルスモータ６４の駆動を制御する。
【００６２】
測光領域からの光がＣＣＤラインセンサ２４の受光面に入射されると、ＣＣＤラインセンサ２４のＲ、Ｇ、Ｂの各色のＣＣＤセル列の各ＣＣＤセルでは、入射された光によって発生する電荷を各々蓄積していく。そして所定の電荷蓄積時間が経過すると、各ＣＣＤセルに蓄積された電荷は、転送クロック信号に同期したタイミングでＲ、Ｇ、Ｂ毎に独立して測光信号として順次出力される。この測光と同期してネガフィルム１０が搬送されることにより、ネガフィルム１０は、ＣＣＤラインセンサ２４によって全面が多数画素に分割されかつＲ、Ｇ、Ｂの各成分色に分解されて測光されることになる。
【００６３】
なお、ネガフィルム１０に対する測光を開始する際には、ＣＣＤラインセンサ２４の電荷蓄積時間として予め定められた初期値がＣＰＵ１００によって設定されるが、この電荷蓄積時間の初期値は、セットされているネガフィルム１０のフィルム種が多数存在するフィルム種のうちの何れであったとしても各ＣＣＤセルで蓄積電荷の飽和が生じないように、比較的短い時間とされている。
【００６４】
また、本実施形態では、ＣＣＤラインセンサ２４の各ＣＣＤセル列における端部に相当する所定数（例えば６３個）のＣＣＤセルがダミー画素（ダミーセル）とされており、外部から光が入射されないように遮光されている。このダミーセルからは、光学的黒のレベルを表す無効信号が出力される。従って、ＣＣＤラインセンサ２４から出力される測光信号は、所定数のダミー画素に対応する無効信号が出力された後に有効画素に対応する信号が出力されることになる。なお無効信号は、該無効信号が表す光学的黒のレベルをサンプリングしておき、有効画素に対応する信号のレベルから光学的黒のレベルを差し引く補正、すなわち暗時出力補正に利用することができる。
【００６５】
上記の測光に伴い、ＣＣＤラインセンサ２４からはＲ、Ｇ、Ｂの測光信号が画素毎に順に出力されるが、ＣＣＤラインセンサ２４から出力された測光信号は、増幅器５６でレベル変換され、Ａ／Ｄ変換器５８でデジタルの測光データに変換されてデータバス６０に順に出力される。またスキャン制御回路５４は、ＣＣＤドライバ５２から入力されたタイミング信号に基づき、Ａ／Ｄ変換器５８から順に出力される測光データに対応する画素のラインアドレスを順次判断し、判断したラインアドレスをアドレス／制御バス７０に出力する。
【００６６】
一方、フィルムエッジ検出用サンプリング回路７２、フィルム搬送検出用サンプリング回路７６、ＤＸコード検出用サンプリング回路８０、コマ位置検出用サンプリング回路８４、フレームサイズ検出用サンプリング回路８８、露光制御用画像データサンプリング回路９２の各々では、アドレス／制御バス７０を介して入力されるラインアドレスに基づいて、ＣＣＤラインセンサ２４の測光領域中の何れの領域の測光データがＡ／Ｄ変換器５８から出力されているかを判断し、抽出すべき領域の測光データのみをデータ有効タイミング中にデータバス６０からサンプリングする。
【００６７】
そして、サンプリングした測光データを、前述のように各々所定のデータ形式のデータ（以下では「光学情報」と総称する：具体的には、フィルムエッジ検出用データ、又はフィルム搬送検出用データ、又はＤＸコードデータ、又はコマ位置検出用データ、又はフレームサイズ検出用データ、又は露光制御用画像データ）に加工し、対応するデータメモリ（フィルムエッジ検出用データメモリ７４、又はフィルム搬送検出用データメモリ７８、又はＤＸコードデータ用メモリ８２、又はコマ位置検出用データメモリ８６、又はフレームサイズ検出用データメモリ９０、又は露光制御用画像データメモリ９４）に記憶させる。
【００６８】
上記処理は、Ａ／Ｄ変換器５８からの測光データの出力と並行して、各サンプリング回路で各々実行され、各種の光学情報が各々データメモリに順次蓄積されるので、Ａ／Ｄ変換器５８から出力された測光データを、画像メモリ等に一旦記憶した後に、画像メモリに記憶した測光データのうち検出或いは演算すべき情報に対応する光学情報を判断し、判断した光学情報のみを前記画像メモリから取り出す等の煩雑な処理を行う必要はなく、取得すべき光学情報を短時間で取得することができる。
【００６９】
一方、ＣＰＵ１００は、各データメモリに記憶された光学情報に基づいて各種の処理を行う。まずＣＰＵ１００は、ＤＸコードデータ用メモリ８２に記憶されているＤＸコードデータを取り出し、取り出したＤＸコードデータが表すＤＸコード領域（Ａ領域）の濃度がネガフィルム１０の長手方向に沿ってどのように変化しているかに基づいてＤＸコードの内容を解析する。なお本実施形態では、ＤＸコード検出用サンプリング回路８０がネガフィルム１０の幅方向両側部のＤＸコード領域に対応する測光データを各々サンプリングし、サンプリングした測光データからＤＸコードデータを各々求めてＤＸコードデータ用メモリ８２に記憶させるので、ＣＰＵ１００はネガフィルム１０の幅方向両側部に記録されているＤＸコードの内容を各々解析し、ネガフィルム１０のフィルム種等を検知する。上記処理は本発明の検知手段に対応している。
【００７０】
ＤＸコードデータは、測光データと比較してＤＸコードの解析が容易なデータ形式であるので、ＤＸコードの内容の解析、フィルム種の検知は短時間で行うことができる。
【００７１】
上記のようにしてフィルム種を検知すると、ＣＰＵ１００は、メインメモリ１０２にフィルム種毎に記憶されているフィルムベース濃度のうち、検知したフィルム種に対応するフィルムベース濃度を取込み、画像領域中に前記取り込んだフィルムベース濃度に略一致する濃度の素抜け部が存在していたときに対応するＣＣＤセル（素抜け部からの光を受光するＣＣＤセル）に蓄積される電荷量が、ＣＣＤセルに蓄積可能な電荷量の最大値に略一致しかつ蓄積電荷の飽和が生じないように、ＣＣＤラインセンサ２４の電荷蓄積時間を再設定する。
【００７２】
上記処理は本発明に係る測光条件調整手段（より詳しくは請求項２に記載の測光条件調整手段）に対応している。上記の電荷蓄積時間の再設定により、電荷蓄積時間は初期値よりも長くなり、画像領域に対応するＣＣＤセルにより、蓄積電荷の飽和（ＣＣＤラインセンサ２４から出力される測光信号のレベルの飽和）が生ずることなく、広ダイナミックで高精度に画像領域を測光することができる。従って、露光制御用画像データメモリ９４に記憶される露光制御用画像データによって表される画像の階調数が実質的に多くなると共に、画像領域（Ｃ領域）の測光データを用いて行われる画像コマ位置の検知及び画像のフレームサイズの検知（詳細は後述）についても、より精度が向上する。
【００７３】
また、画像領域外のうちパーフォレーションやノッチが穿設されている箇所、或いはネガフィルム１０の幅方向外側を通過した光は白色光であるが、減光フィルタ２６はネガフィルム１０のフィルムベースの分光透過率特性に近似した分光透過率特性を有しており、ＣＣＤラインセンサ２４及び増幅器５６は、素抜け部を透過した光が入射されたときに、Ｒ、Ｇ、Ｂの各信号出力が略等しくなるように調整されている。また、減光フィルタ２６の減光量は、各フィルム種に対応する電荷蓄積時間のうち最も短い時間が設定された場合に、ネガフィルム１０のパーフォレーションやノッチが穿設されている箇所を通過した光や、ネガフィルム１０の幅方向外側を通過した光が入射されるＣＣＤセルに蓄積される電荷量が、ＣＣＤセルに蓄積可能な電荷量の最大値に略一致しかつ蓄積電荷の飽和が生じないように定められている。
【００７４】
従って、先に述べたように電荷蓄積時間が長くされたとしても、ネガフィルム１０のパーフォレーションやノッチが穿設されている箇所を通過した光が入射されるＣＣＤセルや、ネガフィルム１０の幅方向外側を通過した光が入射されるＣＣＤセルにおいても蓄積電荷の飽和が生ずることはなく（Ｒ、Ｇ、Ｂの何れの成分色のＣＣＤセルにおいても同様）、かつ画像領域外に対応するＣＣＤセルにより、広ダイナミックで高精度に画像領域外を測光することができる。従って、画像領域外の測光データを用いて行われるフィルムエッジ位置の検知、フィルム搬送状態の検知の精度が向上する。
【００７５】
なお、ネガフィルムの露光量の変化に対する各成分色毎の発色濃度の変化等の特性はフィルム種毎に異なっている。このため、ＤＸコードの内容を解析して検知したフィルム種は、露光部１４で印画紙４２への画像の露光を行う際の露光条件の演算（後述）にも用いられる。また、ＤＸコードデータはＤＸコードの内容の解析以外にも、ＤＸコード領域内に記録されている文字や数字や図形情報の認識に用いることも可能である。
【００７６】
次にＣＰＵ１００は、コマ位置検出用データメモリ８６に記憶されているコマ位置検出用データを取込み、コマ位置検出用データが表す複数のコマ位置検出用領域の各々の濃度値を、各検出用領域毎に複数ラインに亘って比較する。そして濃度値が所定値以上変化しているか否かに基づいて、ネガフィルム１０上の画像の有無及び特定画像のコマ位置（ネガフィルム１０に記録されている特定画像のフィルム長手方向に沿ったエッジ位置）を検知する。なお、コマ位置検出用データは、測光データと比較して画像のコマ位置の検知が容易なデータ形式であるので、測光データそのものを用いる場合と比較して、短時間でコマ位置を検知することができる。
【００７７】
また、コマ位置検出用データは、複数のピース状のネガフィルム（所謂ピースネガ）をスプライステープによって互いに接続して形成された１本の長いロールに対し、スプライステープによって接続されている部分を検出することによってピースネガの位置を検出する際にも用いることが可能である。
【００７８】
検知した特定画像のコマ位置は、前記特定画像に対応して露光制御用画像データメモリ９４に記憶されている露光制御用画像データから有効な画像データを切り出す際に用いられる（後述）が、その他に、露光部１４で前記特定画像の露光を行うために、露光位置に前記特定画像を位置決めする際にも用いられる。
【００７９】
またＣＰＵ１００は、フレームサイズ検出用データメモリ９０に記憶されているフレームサイズ検出用データを取込み、フレームサイズ検出用データが表す複数のフレームサイズ検出用領域の各々の濃度値を、各検出用領域毎に複数ラインに亘って比較する。そして、比較結果に基づいて、先にコマ位置を検知した特定画像のフィルム幅方向に沿ったエッジ位置を判断し、前記特定画像のフレームサイズを検知する。
【００８０】
フィルム幅方向に沿った画像のエッジ位置は、例えば前記比較結果に基づき、特定の検出用領域は複数ラインに亘って濃度値がフィルムベースの濃度に略一致しており、かつ前記特定の検出用領域に隣合う検出用領域は各ライン毎に濃度値が大きく変化している、との条件に合致する検出用領域対を探索し、前記条件に合致している検出用領域対の境界付近を画像のフィルム幅方向に沿ったエッジ位置と判断することができる。そして、判断したエッジ位置に基づいてネガフィルム１０に記録されている画像のフレームサイズを検知することができる。なお、フレームサイズ検出用データは、測光データと比較してフレームサイズの検知が容易なデータ形式であるので、測光データそのものを用いる場合と比較して、短時間でフレームサイズを検知することができる。
【００８１】
検知した特定画像のフレームサイズは、前記特定画像に対応して露光制御用画像データメモリ９４に記憶されている露光制御用画像データから有効な画像データを切り出す際に用いられる（後述）が、その他に、露光部１４で特定画像の露光を行う際に、ネガマスク３０による遮光範囲の切り替え等に用いられる。また、露光を行う画像のフレームサイズによって露光倍率を異ならせる必要があるので、検知した特定画像のフレームサイズは、特定画像の露光条件の演算や、特定画像を露光する際の露光レンズ３８の光学倍率の切り替えにも用いられる。
【００８２】
次にＣＰＵ１００は、先に検知した特定画像のコマ位置及びフレームサイズに基づいて、前記特定画像に対応して露光制御用画像データメモリ９４に記憶されている露光制御用画像データから、画像フレーム内に対応する有効な画像データのみを切り出し、切り出した画像データに基づいて、前記特定画像の露光条件を求めるための各種の画像特徴量（例えば積算透過濃度（ＬＡＴＤ）、主要画像部（例えば人物の顔に相当する領域）の平均濃度や色味等）を、演算によって検知する。
【００８３】
なお、露光制御用画像データは、測光データと比較して画像の画像特徴量の検知が容易なデータ形式であるので、測光データそのものを用いる場合と比較して、短時間で画像特徴量を検知することができる。そして、検知した画像特徴量や、先に検知したネガフィルム１０のフィルム種より求まるネガフィルム１０の特性、特定画像のフレームサイズから定まる露光倍率等に基づいて、特定画像の露光条件を演算し、演算した露光条件をメインメモリ１０２等に記憶する。
【００８４】
上述した、特定画像のコマ位置の検知、フレームサイズの検知、露光条件の演算が繰り返されることにより、ネガフィルム１０に記録されている画像の露光条件が順次演算されて記憶されることになる。
【００８５】
また、上記処理と並行して、ＣＰＵ１００は、フィルムエッジ検出用データメモリ７４に記憶されているフィルムエッジ検出用データを順に取り出し、取り出したデータが表すネガフィルム１０のエッジ位置を検知してその変化を監視し、ネガフィルム１０の蛇行の有無及び程度を判断する。そして、ネガフィルム１０が大きく蛇行していると判断した場合には警告を発する。上記処理も本発明の検知手段に対応している。なお、フィルムエッジ検出用データは、測光データと比較して写真フィルムのエッジ位置の検知が容易なデータ形式であるので、測光データそのものを用いる場合と比較して、短時間で写真フィルムのエッジ位置を検知することができる。
【００８６】
なお、ネガフィルム１０が蛇行すると、他のサンプリング回路で測光データを抽出すべき領域（Ａ、Ｂ、Ｃの各領域）の位置にもずれが発生するので、上記で判断したネガフィルム１０の蛇行量を抽出すべき領域の位置ずれに対する補正量として各サンプリング回路に出力し、各サンプリング回路において、抽出すべき領域の画素のアドレスを前記補正量に応じて補正して測光データのサンプリングを行うようにしてもよい。
【００８７】
また、ネガフィルム１０のエッジ位置は、ネガフィルム１０の蛇行の検出以外にも、ネガフィルム１０の幅方向両端のエッジ位置に基づいてネガフィルム１０の幅寸法を検出し、ネガフィルム１０の種類（１３５サイズフィルムか、１１０サイズフィルムか、ＩＸ２４０フィルム（ＡＰＳフィルム）か等）の判定に用いることも可能である。また、ネガフィルム１０のエッジには、印画紙に露光すべき画像に対応する位置にノッチ（切欠き）が穿設されることが一般的であるが、ネガフィルムのエッジ位置の変化に基づいて、ネガフィルム１０の長手方向に沿ったノッチ位置を検出し、検出したノッチ位置に基づいて画像コマの位置を検出することも可能である。
【００８８】
また、前述した露光条件の演算等の処理と並行して、ＣＰＵ１００は、フィルム搬送検出用データメモリ７８に記憶されているフィルム搬送検出用データを取り出し、取り出したデータが表すパーフォレーションの有無より、パーフォレーションの有無が定期的に変化しているかに基づいてネガフィルム１０が一定速度で正常に搬送されているか否かを判断する。そして、ネガフィルム１０が正常に搬送されていないと判断した場合には警告を発する。上記処理も本発明の検知手段に対応している。
【００８９】
なお、フィルム搬送検出用データは、測光データと比較して写真フィルムの搬送状態の検知が容易なデータ形式であるので、測光データそのものを用いる場合と比較して、短時間で写真フィルムの搬送状態を検知することができる。なおＩＸ２４０フィルムでは、フィルム上のパーフォレーション穿設位置に対し、一定の位置関係の位置に画像が記録されるので、フィルム搬送検出用データに基づいて画像コマの位置を検出することも可能である。
【００９０】
一方、測光部１２を通過した画像は、露光部１４で印画紙４２への露光が行われる。すなわち、先に検知した画像のコマ位置に基づいて、画像が露光位置に位置決めされるようにネガフィルム１０を搬送する。次に、検知した画像のフレームサイズに基づいてネガマスク３０による遮光範囲を切り替えると共に、画像のフレームサイズに応じて定まる露光倍率に応じて露光レンズ３８を移動させる。そして、位置決めした画像に対応する露光条件を取込み、取り込んだ露光条件に応じて色補正フィルタ３４の各フィルタの位置、ブラックシャッタ４０の開放時間を制御し、露光位置に位置決めした画像を印画紙４２に露光する。
【００９１】
上記処理が繰り返されることにより、写真プリンタにセットされたネガフィルム１０に記録されている画像が、印画紙５２に順に露光されることになる。画像が露光された印画紙は、図示しないペーパプロセッサによって、発色現像、漂白定着、水洗、乾燥の各処理が施されて画像コマ毎に切断され、写真プリントとして仕分け等の処理が行われる。
【００９２】
〔第２実施形態〕
次に本発明の第２実施形態について説明する。なお、第１実施形態と同一の部分には同一の符号を付し、説明を省略する。図４には、本第２実施形態に係る写真プリンタの制御装置５０Ｂが示されている。なお、制御装置５０ＢにはＣＰＵ及びメインメモリが複数設けられているため、図４では各々を明確に区別するために、第１実施形態で説明したＣＰＵ１００を「制御部ＣＰＵ」、第１実施形態で説明したメインメモリ１０２を「制御部メインメモリ」と表記している。
【００９３】
写真プリンタの制御装置５０Ｂは、データバス６０及びアドレス／制御バス７０に画像データサンプリング回路１２０が接続されている。画像データサンプリング回路１２０にはＦＩＦＯメモリで構成された画像データ用バッファメモリ１２２が接続されており、画像データ用バッファメモリ１２２は画像処理ＣＰＵバス１２４に接続されている。
【００９４】
画像データサンプリング回路１２０はＡ／Ｄ変換器５８からデータバス６０に順次出力される測光データから、Ｃ領域（画像領域）の測光データのみを抽出し、抽出した測光データを高精細画像データ（例えば１コマ当り４５００画素×３０００画素×３色の画像データ）として画像データ用バッファメモリ１２２に記憶させるか、又は先に説明した露光制御用画像データサンプリング回路９２と同様に複数画素（例えばライン方向に沿って６画素×副走査方向に沿って６画素）の測光データを各成分色毎に統合して低精細の画像データ（インデックス用画像データ：例えば１コマ当り７５０画素×５００画素×３色の画像データ）として画像データ用バッファメモリ１２２に記憶させる。
【００９５】
画像処理ＣＰＵバス１２４には、画像データ用バッファメモリ１２２に記憶された画像データに対する処理のみを行う画像処理ＣＰＵ１２６と、画像処理ＣＰＵ１２６で実行されるプログラムや各種のデータ等が記憶された画像処理部メインメモリ１２８と、画像データ用バッファメモリ１２２に一旦記憶された画像データを記憶・蓄積するための大容量の画像メモリ１０６と、外部機器への画像データの転送等のインタフェースを司る画像データＩ／Ｆ回路１３０と、が接続されている。なお、画像データ用バッファメモリ１２２にはＤＭＡ（ダイレクトメモリアクセス）回路が付加されており、画像データ用バッファメモリ１２２から画像メモリ１０６への画像データの転送は、バーストモードにより高速で行われる。
【００９６】
次に本第２実施形態の作用として、画像処理ＣＰＵ１２６によって実行される処理について説明する。画像処理ＣＰＵ１２６は、例えば複数の画像をマトリクス状に配置したインデックスプリントを作成したり、ネガフィルム１０に記録されている画像をディスプレイ等に一覧表示する等の場合に、画像データサンプリング回路１２０に対して通常モードを選択するモード選択信号を出力する。これにより、画像データサンプリング回路１２０からは低精細のインデックス用画像データが出力され、画像データ用バッファメモリ１２２を介して画像メモリ１０６にインデックス用画像データが記憶・蓄積される。
【００９７】
なお、第１実施形態で説明した電荷蓄積時間の再設定を行った後は、測光のダイナミックレンジが広がり、高精度に画像領域を測光することができるので、測光データを統合して得られるインデックス用画像データについても階調数が実質的に多くなり、画像の階調をより精密に表す画像データが得られる。
【００９８】
画像処理ＣＰＵ１２６は、画像メモリ１０６に記憶・蓄積されたインデックス用画像データに対してネガ−ポジ変換を行うと共に、制御部ＣＰＵ１００で演算された露光条件に応じて濃度や色味を修正し、修正したインデックス用画像データを、画像データＩ／Ｆ回路１３０を介して外部機器へ順次転送する。この場合の外部機器としては、例えばインデックスプリントを作成するインデクッスプリンタ、或いはディスプレイ等の表示手段と、該表示手段への画像の表示を制御する表示制御手段と、を含んで構成される表示装置等が挙げられる。これにより、インデックスプリントの作成やディスプレイ等への表示が行われる。
【００９９】
なお、インデックスプリントの作成に先立ってディスプレイへの表示を行い、ディスプレイに表示した画像の濃度や色味等をオペレータに検定させ、必要に応じて濃度や色味等の修正を指示する情報をオペレータに入力させるようにしてもよい。画像データＩ／Ｆ回路１３０を介して前記修正を指示する情報を受信した場合、画像処理ＣＰＵ１２６では、受信した情報に従ってインデックス用画像データを更に修正した後に、修正したインデックス用画像データをインデックスプリンタに出力する。これにより、インデックスプリントの画質を向上させることができる。
【０１００】
また、画像処理ＣＰＵ１２６は、ネガフィルム１０に記録されている画像を表す高精細画像データを外部機器に提供する、所謂デジタル画像ファイルサービスを行う等の場合に、画像データサンプリング回路１２０に対し、高精細モードを選択するモード選択信号を出力する。これにより、画像データサンプリング回路１２０からは高精細画像データが出力され、画像データ用バッファメモリ１２２を介して画像メモリ１０６に高精細画像データが記憶・蓄積される。
【０１０１】
なお、第１実施形態で説明した電荷蓄積時間の再設定を行った後は、先にも述べたように測光のダイナミックレンジが広がり、高精度に画像領域を測光することができるので、上記の高精細画像データについても階調数が実質的に多くなり、画像の階調をより精密に表す画像データが得られる。なお、高精細画像データを出力する画像はネガフィルム１０の全画像であってよいし、ディスプレイに一覧表示された複数の画像の中から指定された特定画像や、コマ番号によって指定された特定画像であってもよい。
【０１０２】
画像処理ＣＰＵ１２６は、画像メモリ１０６に記憶・蓄積された高精細画像データに対してネガ−ポジ変換を行うと共に、制御部ＣＰＵ１００で演算された露光条件に応じて濃度や色味を修正し、解像度を変更可能なデジタル画像出力ファイルに加工する。そして、デジタル画像出力ファイルを、画像データＩ／Ｆ回路１３０を介して外部機器へ転送する。この場合の外部機器としては、フロッピーディスク、リムーバブルハードディスク、光磁気ディスク等の記憶媒体を備えた記憶装置や、或いはネットワーク等が挙げられる。
【０１０３】
上記のように、本第２実施形態では、データ量が膨大である画像データ（インデックス用画像データ、高精細画像データ）に対する処理を、画像処理ＣＰＵ１２６で行うようにしたので、各種処理を実行することによる負荷は制御部ＣＰＵ１００と画像処理ＣＰＵ１２６とに分散される。従って、第２実施形態で説明した画像データに対する処理を行うために、第１実施形態で説明した処理（第２実施形態では制御部ＣＰＵ１００で実行される処理）が遅延する等の不都合が生ずることはない。
【０１０４】
なお、上記では測光手段として受光素子（ＣＣＤセル）がライン状に配置されたラインセンサを用いた例を説明したが、受光素子が平面状に配置されたエリアセンサを用いてもよい。図５に例として示すＣＣＤエリアセンサ１４０は、フィルム長手方向に沿った測光範囲が単一の画像コマの全面をカバーする長さとされている。この場合、減光手段としての減光フィルタ１４２（図５に密度の高いハッチングで示す）についても、フィルム長手方向に沿った長さを測光範囲と同じ長さ以上とすればよい。
【０１０５】
また、上記では画像範囲外からＣＣＤに入射される全ての光を減光フィルタで減光するようにしていたが、これに限定されるものではなく、例えばパーフォレーションが穿設されている領域（Ｂ領域）、及びノッチが穿設されている領域を含むフィルムエッジが位置している領域（Ｄ領域）からの光のみを減光フィルタで減光するようにしてもよい。
【０１０６】
更に、上記では検知したフィルム種よりフィルムベースの濃度を判断して電荷蓄積時間を設定するようにしていたが、フィルム上の素抜け部を測光した結果に基づいてフィルムベースの濃度を検出し、電荷蓄積時間を設定するようにしてもよい。これにより、例えば経時的にフィルムベースの濃度が変化しているネガフィルムに対しても、最適な電荷蓄積時間を設定することが可能となる。
【０１０７】
また、上記ではフィルム種毎に異なるネガフィルム１０のフィルムベース濃度に応じて電荷蓄積時間を設定（詳しくは再設定）するようにしていたが、画像データの取得等を行うための本測光に先立って画像の測光（プレ測光）を行い、測光結果に基づいて画像領域中の最低濃度を求め、画像領域中の最低濃度の部分からの光を受光するＣＣＤセルに蓄積される電荷量が、ＣＣＤセルに蓄積可能な電荷量の最大値に略一致しかつ蓄積電荷の飽和が生じないように電荷蓄積時間を設定するようにしてもよい（請求項３に記載の測光条件の調整に対応）。これにより、特に全体的に高濃度のオーバ露光の画像を測光する際に、画像を広ダイナミックレンジで高精度に測光することができる。また、測光手段としてはＣＣＤ以外にＭＯＳ型センサ等を用いることも可能である。
【０１０８】
更に、上記では減光フィルタを測光手段の受光面（測光手段に入射される光の結像位置近傍）に設けていたが、これに限定されるものではなく、ネガフィルム１０の近傍に設けてもよい。
【０１０９】
また、上記では写真フィルムとしてネガフィルムを例に説明したが、リバーサルフィルム等の他の写真フィルムを適用することも可能である。
【０１１０】
また、上記では本発明に係るフィルム情報取得装置を写真プリンタに適用した場合を例に説明したが、これに限定されるものではなく、例えば写真フィルムに記録されている画像を読み取る画像読取装置等に適用することも可能である。
【０１１１】
【発明の効果】
以上説明したように本発明は、写真フィルム上の画像記録範囲よりも広い所定範囲を単一の測光手段により多数個に分割して測光すると共に、写真フィルムのフィルムベースの分光特性に近似した分光特性又は青色光の透過率Ｔｂ≦緑色光の透過率Ｔｇ≦赤色光の透過率Ｔｒとされた光学フィルタにより、写真フィルム上の前記所定範囲内でかつ前記画像記録範囲外の領域から測光手段に入射される光を減光するようにしたので、単一の測光手段により、写真フィルムに記録された画像を高精度に測光できると共に、写真フィルムの画像記録範囲内の素抜け部の色味が測光上の白として検出されるように、写真フィルムからの入射光を各色成分に分解して測光する場合にも、写真フィルム上の画像記録範囲外からの各成分色光に対応して測光手段から出力される各成分色の信号のダイナミックレンジを各々広くすることができ、写真フィルムの画像記録範囲外からも写真フィルムに関する情報を正確に検出することができる、という優れた効果を有する。
【図面の簡単な説明】
【図１】本実施形態に係る写真プリンタの光学系の概略構成図である。
【図２】ＣＣＤラインセンサ、減光フィルタ、ネガフィルムの位置関係、各サンプリング回路が測光データをサンプリングする領域を平面的に示す概念図である。
【図３】第１実施形態に係る写真プリンタの制御装置の概略構成を示すブロック図である。
【図４】第２実施形態に係る画像データサンプリング回路の構成の一例を示す概略ブロック図である。
【図５】測光手段の他の例としてのＣＣＤエリアセンサ、減光フィルタ、ネガフィルムの位置関係を平面的に示す概念図である。
【符号の説明】
１２    測光部
２４    ＣＣＤラインセンサ
２６    減光フィルタ
１００    ＣＰＵ（制御部ＣＰＵ）
１４０    ＣＣＤエリアセンサ
１４２    減光フィルタ
【図１】
0003590218.tif 000002
【図２】
0003590218.tif 000003
【図３】
0003590218.tif 000004
【図４】
0003590218.tif 000005
【図５】
0003590218.tif 000006